【事件の表示】
　平成　９年特許願第３５１６４２号「蓄冷器式冷凍機及び真空排気方法」拒絶査定不服審判事件〔平成１１年　７月　６日出願公開、特開平１１−１８２９５６〕について、次のとおり審決する。
【結　論】
　本件審判の請求は、成り立たない。
【理　由】
１．手続の経緯、本願発明
　本願は、平成９年１２月１９日の出願であって、その請求項１に係る発明は、平成１７年３月１８日付手続補正書、平成１７年６月２９日付手続補正書および平成１８年１１月９日付手続補正書によって補正された明細書及び図面の記載からみて、その特許請求の範囲の請求項１に記載された次のとおりのものと認める（以下、「本願発明」という。）。
　「一方の端部が開口したシリンダと、
　前記シリンダ内を、その軸に沿って往復運動するディスプレーサと、
　前記シリンダの前記一方の端部に気密に結合され、シリンダ内の空間に内面を露出させた冷却ステージであって、該冷却ステージが、外周面、前記シリンダの軸の回りを取り囲む内周面、及び該シリンダの軸と交差する底面を有し、該外周面から突出した薄板状部分を含み、該内周面と該底面が前記シリンダ内の空間に露出しており、該冷却ステージのうち該シリンダ内の空間に露出した部分と該薄板状部分とが一体不可分に結合している冷却ステージと、
　前記シリンダ、ディスプレーサ、及び冷却ステージにより画定される冷却空洞に連通し、該冷却空洞に冷媒ガスを導入し、及び該冷却空洞から冷媒ガスを回収する冷媒ガス流路と、
　前記冷媒ガス流路内に配置され、該冷媒ガス流路内を流れる冷媒ガスと熱交換を行う蓄冷材と、
　内部空洞を有し、前記冷却ステージに熱的に結合した第１の加熱部と、
　前記冷却空洞内への冷媒ガスの導入及び回収の周期に同期するように、前記第１の加熱部の内部空洞内への冷媒ガスの導入及び回収を行う第１の再生用ガス流路と、
　前記第１の再生用ガス流路に設けられた第１の開閉弁と
を有する蓄冷器式冷凍機。」
　
２．引用例
（ａ）引用例１（特開平５−３４０６２２号公報）
　当審で通知した拒絶の理由に引用した特開平５−３４０６２２号公報（以下、「引用例１」という。）には、図面とともに以下の事項が記載されている。
　
・「蓄冷器式冷凍機において、冷却部を加熱させる手段として蓄冷器へ供給するのと同じ周期と圧力の冷媒ガスを用い、常温部から冷却部に冷媒ガスを導くための弁を備えた導管と、この導管に接続された空間部（発熱部）を冷凍機の冷却部に設け、この空間部に冷媒ガスが詰め込まれる際に発生する断熱圧縮熱によって加温させるようにしたことを特徴とする蓄冷器式冷凍機。」（特許請求の範囲の請求項１）
　
・「【発明が解決しようとする課題】ギフォ−ド・マクマホンサイクルなどを用いた蓄冷器式冷凍機において、低温状態にある冷却部を昇温させる過程において、昇温時間を短縮すること、及び冷却ステ−ジの温度を調節することを目的とする。」（段落【０００３】）
　
・「【実施例】ギフォ−ド・マクマホンサイクル式冷凍機(以下ＧＭサイクル式冷凍機という)の冷凍運転について図１を参照して説明する。吸気弁２と排気弁３の開閉の切り換えによって、ヘリウム圧縮機１によって圧縮された高圧のヘリウムガスとこの高圧のヘリウムガスが断熱膨張して温度の下がった低圧のヘリウムガスが第１段蓄冷器１０と第２段蓄冷機１４内を交互に逆方向に流れるとき、高温高圧のヘリウムガスと低温低圧のヘリウムガスが蓄冷材を介して熱交換する。この繰返し手段によって第１段膨張室２０と第２段膨張室２１のガスの温度が下がり、その寒冷がシリンダを介して第１段冷却ステ−ジ１１および第２段冷却ステ−ジ１５に伝わって冷却される。」（段落【０００５】）
　
・「これに対する本発明による冷凍機の昇温手段の構成について図２を参照して説明する。第１段及び第２段冷却ステ−ジ１１，１５に従来のヒ−タの代りに設けた第１段と第２段発熱部２２，２３(ある容積の空間部)に高低圧ガス流路４から分岐させた冷凍機の作動ガスを温度調節弁６，７を介して冷却ステ−ジに熱的に接触されている第１段と第２段発熱部２２，２３とが導管22a及び23aとで接続されている。この発熱部２２，２３には第１段及び第２段蓄冷器１０，１４に供給されるのと同周期の圧力のガスが詰め込まれ(断熱圧縮)この際に発生する圧縮熱を利用して昇温または温度調節を行うもので、発熱の手段として特に電源などの設備を必要としない。図２の場合は、温度調節弁(Ａ)６，と同じく(Ｂ)７に電磁弁を用い、温度制御回路からの指示によって電磁弁の開閉を制御する構成である。また、冷凍機の冷却運転の場合や、冷却ステ−ジを昇温させない場合には、温度調節弁６，７は閉じられた状態である。」（段落【０００７】）
　
・「温度調節弁(Ｂ)７を開（温度調節弁(Ａ)６は閉）にすると蓄冷器１０，１４に供給されるのと同周期の圧力のガスが第２段発熱部２３の空間部に導管23a を介して供給される。この際、ガスが空間部に詰め込まれて発生する断熱圧縮熱によって第２段発熱部２３で熱が発生する。この繰り返し手段によって第２発熱部２３が加熱されて第２段冷却ステ−ジ１５は５０Ｋに昇温される。第２段冷却ステ−ジ１５が５０Ｋに昇温されると、第２段温度センサ−１９からの温度を制御回路が検出して温度調節弁Ｂ７は閉となる。」（段落【０００９】）
　
・「【効果】昇温の手段として、冷却ステ−ジまたは被冷却物などに設けた空間部内に高圧のヘリウムガスが供給される際のガスの断熱圧縮による発熱作用を用いたので、特に電源設備などを必要とせずに昇温や温度調節することが可能となった。　また、冷凍機を停止させることなく昇温することができる為、例えばクライオポンプ用冷凍機として用いた場合、クライオパネルの再生作用に要する時間（クライオポンプとしてはロス時間）が大巾に短縮される。尚、昇温手段として本装置の冷凍機駆動部５を冷却モ−ドの回転と逆の方向に回転させることにより更に高い昇温効果が得られる。」（段落【００１１】）
　
　これらの記載及び図面の記載によれば、引用例１には、次のような発明が記載されている。
　「シリンダと、
　前記シリンダ内を、その軸に沿って往復運動するディスプレイサと、
　前記シリンダの一方の端部に結合される冷却ステージと、
　前記シリンダ、ディスプレイサにより画定される膨張室に連通し、該膨張室に冷媒ガスを導入し、及び該膨張室から冷媒ガスを回収するディスプレイサ内の冷媒ガス流路と、
　前記ディスプレイサ内の冷媒ガス流路内に配置され、該冷媒ガス流路内を流れる冷媒ガスと熱交換を行う蓄冷材と、
　ある容積の空間部を有し、前記冷却ステージに熱的に結合した発熱部と、
　前記膨張室内への冷媒ガスの導入及び回収の周期に同期するように、前記発熱部のある容積の空間部内への冷媒ガスの導入及び回収を行う導管と、
　前記導管に設けられた温度調節弁と
を有する畜冷器式冷凍機。」
　
（ｂ）引用例２（特開平７−１３９８２８号公報）
　当審で通知した拒絶の理由に引用した特開平７−１３９８２８号公報（以下、「引用例２」という。）には、図面とともに、以下の事項が記載されている。
　
・「【産業上の利用分野】本発明は極低温膨張機、詳しくはディスプレーサを往復動可能に内装するシリンダと、このシリンダ端部に接合されるヒートステーションとを備え、このヒートステーションで極低温を得るようにした極低温膨張機に関する。」（段落【０００１】）
　
・「【発明が解決しようとする課題】所が以上の結合構造によると、前記端板Ｅが必要となり、その部品点数が増加するだけでなく、この端板Ｅをロー付け等により接続する工程も必要となり、その上、前記膨張空間Ｘにおけるヘリウムガスの熱は、シリンダＣから半田層Ｂを介してヒートステーションＨの取付筒Ａに伝わり、この取付筒Ａから前記ヒートステーションＨのワーク取付面ｈに伝達されたり、前記端板Ｅから半田層Ｂを介して前記ワーク取付面ｈに伝達されることになるのであって、何れの場合でも、直接ヘリウムガスの熱が前記ヒートステーションＨに伝達されないため、前記ワーク取付面ｈへの伝熱ロスが生じ、熱伝達効率が悪くなって極低温膨張機の能力低下を来す問題があった。」（段落【０００４】）
　
・「【実施例】図１に示した実施例は第１ヒートステーション１と第２ヒートステーション２との２段ヒートステーションをもつ２段形極低温膨張機であって、一端部に後記する構成の第１ヒートステーション１を設けた第１シリンダ３と、この第１シリンダ３の前記第１ヒートステーション１に取付けられ、一端部に第２ヒートステーション２を設けた第２シリンダ４とをそれぞれ変態点温度が高いローカーボンのステンレス材（例えばＳＵＳ３０４−Ｌ）を用いて構成し、これら各シリンダ３，４に、２段式ディスプレーサ５を複数のシールリング５ａを介して摺動自由に内装すると共に、このディスプレーサ５の摺動方向一側には、それぞれ１段目膨張空間６及び２段目膨張空間７を設け、他側には図示していないが、スラックピストンを摺動自由に設けて、前記ディスプレーサ５に連動させる一方、前記第１シリンダ３の他端部には取付フランジ２ａを介して、高圧ガス管の接続口８と低圧ガス管の接続口９とをもち、高圧ガスの導入と低圧ガスの排出との切換えを行う切換弁装置１０を設け、この切換弁装置１０の切換動作で、前記接続口８から導入される高圧ガス（主としてヘリウムガス）が、前記ディスプレーサ５の蓄冷器を通って前記各膨張空間６，７に導入され、これら膨張空間６，７で膨張し、膨張後の低圧ガスが前記接続口９から低圧ガス管に排出されるのであり、前記高圧ガスの導入と低圧ガスの排出との繰り返しにより前記各ヒートステーション１，２が冷却され、極低温を得るようになっている。」（段落【００１４】）
　
・「即ち、図１に示した前記各ヒートステーション１，２は、熱伝導率の高い主として銅材を用い、前記各シリンダ３，４の端部に接合するための取付筒１１を一体に形成し、この取付筒１１の先端側を前記シリンダ３，４の端部外周に嵌合して、銀ロー材２０によるロー付けにより膨張圧力に耐え得る強さに一体結合し、この取付筒１１の基端側を、前記シリンダ３，４の膨張空間６，７に露出させ、その上、図２に拡大して示したように前記膨張空間６，７に露出する取付筒１１の内周面と、前記ヒートステーション１，２の内面とにそれぞれ多数の凹凸部１２を形成したのである。尚、前記ロー付けは７００〜８００℃で行うのであるが、前記シリンダ３，４をローカーボンのステンレス材を用いているから、熱歪の影響はない。」（段落【００１６】）
　
・「以上のように構成する図１の構造によれば、前記ヒートステーション１，２の内面が前記シリンダ３，４の膨張空間６，７に露出するから、前記取付筒１１の一体結合で前記膨張空間６，９を耐圧構成にできながら、ヒートステーション１，２のシリンダ３，４への結合部に関係なく、前記膨張空間６，７で膨張するヘリウムガス等の冷媒熱を前記ヒートステーション１，２に直接伝達することができ、従って、従来例のような伝達熱ロスを低減できるし、また、図１の実施例では前記取付筒１１の内周面も前記膨張空間６，７に露出させ、その上前記凹凸部１２を設けているから、この取付筒１１の内部で膨張空間６，７を形成でき、前記凹凸部１２による表面積の増大と相俟って、冷媒との熱交換面積を増大できるのであり、従って、熱伝達効率をより一層向上でき、能力向上が有効に行えるのである。」（段落【００２０】）
　
（ｃ）引用例３（特開平８−１０９８８１号公報）
　当審で通知した拒絶の理由に引用した特開平８−１０９８８１号公報（以下、「引用例３」という。）の従来例には、図面とともに、以下の事項が記載されている。
　
・「【産業上の利用分野】この発明は、ギホード・マクマホンサイクルあるいはスターリングサイクルによる極低温用冷凍装置などに用いるクライオポンプ装置に関するものである。」（段落【０００１】）
　
・「冷却室１１７の開口端側には、平面鎧戸状の通気路をもつ低温側の吸熱フィン、つまり、バッフル１２０を配置し、第２シリンダ１０７の上端側の第２ステージ１１８の部分にも筒形鎧戸状の通気路をもつ極低温側の吸熱フィン、つまり、コールドパネル１１９を配置してあり、第１ステージ１１５と第２ステージ１１８とで生ずる冷却熱容量を、バッフル１２０の各表面とコールドパネル１１９の各表面などを介して、冷却対象流体３００に与えることにより所要の冷却を行っている。」（段落【００１０】）
　
・「外側遮蔽覆１１３は、第１シリンダ１０５の下端側から冷却室１１７の開口端側までの外側を覆って真空室１１４を形成し、この真空室１１４により、第１シリンダ１０５の外面と冷却室１１７の外面とを外部環境から遮断して、冷却熱容量の放熱損失を防いでいる。」（段落【００１１】）
　
・「そして、冷却対象流体３００に含まれた水蒸気などの普通の低温で凝固する気体成分は低温側のバッフル１２０の表面に凝着させ、アルゴンや水素のような極低温で凝固または吸着する気体成分は極低温側のコールドパネル１１９の表面に凝着または吸着させることにより、冷却対象流体３００から不純物を除去する浄化を行って真空度を高めるなどの作用を行わせている。
　上記の凝着と吸着のうち、主としてコールドパネル１１９の表面での凝着と吸着とは、比較的短時間で飽和状態に達するため、冷却対象流体３００の流入口に設けた閉塞用シャッター４０１を閉じて、コールドパネル１１９の表面を再生する再生工程を行うようにしている。」（段落【００１３】〜【００１４】）
　
・「この再生工程は、クライオポンプ装置５００の冷却運転を一時的に停止し、冷却対象流体３００の流路を遮断した状態で、内部に設けた電熱体（図示せず）と外部に設けた電熱体３０１とにより加熱して、上記の凝着成分や吸着成分を蒸発させるとともに、加熱吸気口３０２から加熱排気口３０３に向けて冷却室１１７内部と真空室１４内部との気体を循環させるさせるようにしている。また、コールドパネル１１９は、極低温の冷却を行うパネルを形成しているため、クライオパネルとも呼ばれている。
　そして、コールドパネル１１９は、図７のように、平坦部分Ａの周辺に傾斜部分Ｂを連続させた形状の素子板１１・１２を間隔を空けて平行に複数枚を多段状に重ねるとともに、特定の表面部分を上記の凝着を行う素表面部分Ｘ、つまり、素材肌の部分とし、残りの表面部分に上記の吸着を行うための吸着層を施した吸着層部分Ｙとして構成したものを、図６のように、適宜に間隔配置した間柱状の支柱１３を串刺状にすることにより、次段以下の素子板１２を、支柱１３によって、最上段の素子板１１に一体に固定支持させたものを、第２ステージ１１８の上からかぶせるように入れ込んで、ねじ１４により第２ステージ１１８に固定してある。」（段落【００１５】〜【００１６】）
　
・「ここで、素材肌のままの素表面部分Ｘ、つまり、アルゴンなどを凝着させる面の部分は、冷却対象流体３００が降り注ぐ面、つまり、最上段の素子板１１の平坦部分Ａの上面Ａ１と傾斜部分Ｂの上面Ｂ１との上面側全面と、次段以下の各素子板１２の傾斜部分Ｂの上面Ｂ２とに限定してある。
　また、水素などを吸着させる吸着層部分Ｙは、吸着層を、例えば、多数の活性炭の粒を接着して構成するとともに、次段以下の各素子板１２の平坦部分Ａの上面のみに限定してある。そして、素子板１１・１２の各下面側は、例えば、下面全面を、素表面部分Ｘ、つまり、素材肌の部分として形成する場合と、必要に応じて、下面全面を吸着層部分Ｙとし、または、平坦部分Ａの範囲内のみに吸着層部分Ｙを施す場合とがある。（段落【００１７】〜【００１８】）
　
　そして、上記記載及び図６、図７の記載を参照すれば、「吸熱フィン、つまりコールドパネル」の一部は、第２ステージと接触しており、熱的には、第２ステージから一部の「吸熱フィン、つまりコールドパネル」は突出した構成となっていると認められる。
　
３．対比
　ここで、本願発明と引用例１に記載の発明とを対比する。
　引用例１に記載の発明の「ディスプレイサ」は、本願発明の「ディスプレーサ」に相当し、以下同様に、「膨張室」は「冷却空洞」に、「ディスプレイサ内の冷媒ガス流路」は「冷媒ガス流路」に、「ある容積の空間部」は「内部空洞」に、「発熱部」は「第１の加熱部」に、「導管」は「第１の再生用ガス流路」に、「温度調節弁」は「第１の開閉弁」に、それぞれ、相当している。
　
　そうすると、本願発明と引用例１に記載の発明とは、
　「シリンダと、
　前記シリンダ内を、その軸に沿って往復運動するディスプレーサと、
　前記シリンダの一方の端部に結合される冷却ステージと、
　少なくとも前記シリンダ及びシリンダで画定される冷却空洞に連通し、該冷却空洞に冷媒ガスを導入し、及び該冷却空洞から冷媒ガスを回収する冷媒ガス流路と、
　前記冷媒ガス流路内に配置され、該冷媒ガス流路内を流れる冷媒ガスと熱交換を行う蓄冷材と、
　内部空洞を有し、前記冷却ステージに熱的に結合した第１の加熱部と、
　前記冷却空洞内への冷媒ガスの導入及び回収の周期に同期するように、前記第１の加熱部の内部空洞内への冷媒ガスの導入及び回収を行う第１の再生用ガス流路と、
　前記第１の再生用ガス流路に設けられた第１の開閉弁と、
を有する蓄冷器式冷凍機。」
の点で一致し、次の点で相違している。
　
［相違点］
　本願発明では、シリンダの一方の端部が開口したものであって、冷媒ガス流路が連通する冷却空洞をシリンダ、ディスプレーサ、及び冷却ステージにより画定されるものとするとともに、冷却ステージが、シリンダの前記一方の端部に気密に結合され、シリンダ内の空間に内面を露出させた冷却ステージであって、該冷却ステージが、外周面、前記シリンダの軸の回りを取り囲む内周面、及び該シリンダの軸と交差する底面を有し、該外周面から突出した薄板状部分を含み、該内周面と該底面が前記シリンダ内の空間に露出しており、該冷却ステージのうち該シリンダ内の空間に露出した部分と該薄板状部分とが一体不可分に結合しているものであるのに対し、引用例１に記載の発明では、シリンダの一方の端部は開口したものではなく、冷媒ガス流路が連通する冷却空洞は冷却ステージにより画定されないものであるとともに、冷却ステージは、シリンダの一方の端部に結合されるものである点。
　
４．判断
　引用例２には、畜冷器式冷凍機（「極低温膨張機」として記載されている。）において、シリンダの一方の端部を開口させ、冷却ステージ（「ヒートステーション」）が、シリンダの前記一方の端部に気密に結合され、シリンダ内の空間に内面を露出させ、また、外周面、前記シリンダの軸の回りを取り囲む内周面、及び該シリンダの軸と交差する底面を有し、該内周面と該底面が該シリンダ内の空間に露出したものが記載されている。
　
　また、引用例３の従来例には、畜冷器式冷凍機（「クライオポンプ装置」として記載されている。）において、冷却ステージ（「第２ステージ」）から薄板状部分（「コールドパネル（吸熱フィン）」）が突出したものであって、冷却ステージの冷却空洞（「第２膨張室」）に対応する部分から薄板状部分が結合したものが記載されている。
　
　そうすると、引用例１に記載の発明において、シリンダの一方の端部が開口したものであって、冷媒ガス流路が連通する冷却空洞をシリンダ、ディスプレーサ及び冷却ステージにより画定されるものとするとともに、冷却ステージが、シリンダの前記一方の端部に気密に結合され、シリンダ内の空間に内面を露出させた冷却ステージであって、該冷却ステージが、外周面、前記シリンダの軸の回りを取り囲む内周面、及び該シリンダの軸と交差する底面を有し、該外周面から突出した薄板状部分を含み、該内周面と該底面が前記シリンダ内の空間に露出させるようにすることは、当業者であれば、引用例２、引用例３に記載された事項に基づいて、容易になし得たことであり、そして該冷却ステージのうち該シリンダ内の空間に露出した部分と該薄板状部分とが一体不可分しているものとした点は、熱伝達を効率的に行う必要に応じ、当業者であれば、引用例３に記載された事項を応用することにより、容易に想到し得たことである。
　
　そして、本願発明の作用効果も、引用例１に記載の発明および引用例２、３に記載の事項から、当業者が予測し得る程度のものであって、格別なものとは認められない。
　
５．むすび
　以上のとおり、本願発明は、引用例１に記載の発明および引用例２、３に記載の事項に基づいて、当業者が容易に発明をすることができたものであるから、特許法第２９条第２項の規定により特許を受けることができない。
　
　よって、結論のとおり審決する。